(57)【要約】      （修正有）【課題】水槽内の水が外部に溢れることを抑制可能な嵌込式水槽を提供する。【解決手段】嵌込式水槽は、流し台面１１と水槽２０と固定部材３０とを備える。流し台面１１は、水槽穴１２を含み、その下方には、水槽穴１２の周縁に沿う嵌め溝１３が環設される。水槽２０は、水槽本体２１を含み、その底部には排水口２１０が設けられ、水槽本体２１の周縁には、第１水平突縁部２２が環設され、第１水平突縁部２２の末端から、半径方向に沿う立設突縁部２３が形成され、且つ第１水平突縁部２２は、流し台面１１の下面に貼り付けられ、水槽穴１２を囲み、立設突縁部２３は、流し台面１１の嵌め溝１３に挿入される。固定部３０は、ネジ３１により流し台面１１の底部に締め付けられ、流し台面１１と共に水槽２０の第１水平突縁部２２を挟む。【選択図】図３
0003154127.tif 000002
【実用新案登録請求の範囲】
【請求項１】
水槽穴、及び下方に前記水槽穴の周縁に沿って環設される嵌め溝を有する流し台面と、
水槽本体、底部に設けられる排水口、前記水槽穴を囲みながら前記水槽本体の周縁に環設される第１水平突縁部、及び、前記第１水平突縁部の末端から半径方向に沿って形成される立設突縁部を含み、前記第１水平突縁部は前記流し台面の下面に貼り付けられ、前記立設突縁部は前記流し台面の嵌め溝に挿入される水槽と、
ネジにより前記流し台面の底部に締め付けられ、前記流し台面と共に前記水槽の前記第１水平突縁部を挟む固定部材と、
を備えることを特徴とする嵌込式水槽。
【請求項２】
前記水槽に設けられた前記立設突縁部の自由端は前記水槽の中心に向き、前記自由端には、第２水平突縁部が水平に凸設されることを特徴とする、請求項１に記載の嵌込式水槽。
【請求項３】
前記流し台面に設けられた前記嵌め溝には、樹脂充填材が充填されてもよいことを特徴とする、請求項１に記載の嵌込式水槽。
【請求項４】
前記水槽の前記第１水平突縁部と前記流し台面の下面の間には、樹脂充填材が塗布されていることを特徴とする、請求項１に記載の嵌込式水槽。
【考案の詳細な説明】
【技術分野】
【０００１】
本考案は、嵌込式水槽に関し、特に、水槽の水槽本体の周縁には、第１水平突縁部が環設され、第１水平突縁部の末端から、半径方向に沿う立設突縁部が形成され、立設突縁部により水槽内にある水が外部に溢れられることができなくなる嵌込式水槽に関するものである。
【背景技術】
【０００２】
従来、台所の流し台は、図８に示すように、水槽５２の突縁部５２１が流し台面５１の開口５１１の周縁を跨り、突縁部５２１の末端と流し台面５１の間には、シリコン５２３が充填され、そうすると、見栄えが悪くなる。図９に示すような流し台は、流し台面５１と、水槽５２と、を含み、流し台面５１には開口５１１が設けられ、水槽５２の上端には、開口５１１の周縁の下面に押付けられる突縁部５２１が水平に凸設され、水槽５２の水槽壁５２２が開口５１１の周縁に並んでおり、水槽壁５２２と開口５１１の間には、シリコン５２３が充填され、そうすると、見栄えが悪くなり、水漏れの可能性もある。図１０に示すような流し台は、水槽５２の上端には、突縁部５２１が水平に凸設され、突縁部５２１が開口５１１の周縁の下面に押付けられ、水槽５２の寸法が開口５１１の寸法よりも大きく、これにより、水槽壁５２２の周縁と開口５１１の周縁の間には、一定の距離が存在する。洗濯しているときに、水が水槽５２の突縁部５２１と流し台面５１の間にある隙間に侵入して外部に溢れられる問題があった。
【考案の概要】
【考案が解決しようとする課題】
【０００３】
本考案の主な目的は、水槽の水槽本体の周縁に、第１水平突縁部が環設され、第１水平突縁部の末端から、半径方向に沿う立設突縁部が形成され、立設突縁部により水槽内にある水が外部に溢れることを抑制可能な嵌込式水槽を提供することにある。
【課題を解決するための手段】
【０００４】
本考案の請求項１による嵌込式水槽は、流し台面と水槽と固定部材とを備える。流し台面は、水槽穴を含み、その下方には、水槽穴の周縁に沿う嵌め溝が環設される。水槽は、水槽本体を含み、その底部には排水口が設けられ、水槽本体の周縁には、第１水平突縁部が環設され、第１水平突縁部の末端から、半径方向に沿う立設突縁部が形成され、且つ第１水平突縁部は、流し台面の下面に貼り付けられ、水槽穴を囲み、立設突縁部は、流し台面の嵌め溝に挿入される。固定部材は、ネジにより流し台面の底部に締め付けられ、流し台面と共に水槽の第１水平突縁部を挟むことを特徴とする。
【０００５】
本考案の請求項２による嵌込式水槽は、水槽に設けられた立設突縁部の自由端は水槽の中心に向き、自由端には、第２水平突縁部が水平に凸設される。
【０００６】
本考案の請求項３による嵌込式水槽は、流し台面に設けられた嵌め溝には、樹脂充填材が充填されてもよい。
【０００７】
本考案の請求項４による嵌込式水槽は、水槽の第１水平突縁部と流し台面の下面の間には、樹脂充填材が塗布されている。
【考案の効果】
【０００８】
本考案の嵌込式水槽によれば、水槽の水槽本体の周縁には、第１水平突縁部が環設され、第１水平突縁部の末端から、半径方向に沿う立設突縁部が形成され、立設突縁部により水槽内にある水が外部に溢れられることができなくなるという効果を有する。
【図面の簡単な説明】
【０００９】
【図１】本考案の第１実施形態の水槽の斜視図である。
【図２】本考案の第１実施形態の水槽が流し台面に取付けられた状態の模式図である。
【図３】図２の３−３方向に沿った断面図である。
【図４】図３の″４″区域の拡大図である。
【図５】本考案の第２実施形態の水槽の構造を示す断面図である。
【図６】図５の″６″区域の拡大図である。
【図７】本考案の第３実施形態の水槽の構造を示す断面図である。
【図８】従来の水槽が流し台面に取付けられた構造を示す断面図である。
【図９】従来の水槽が流し台面に取付けられた構造を示す断面図である。
【図１０】従来の水槽が流し台面に取付けられた構造を示す断面図である。
【考案を実施するための形態】
【００１０】
以下、本考案の実施形態を図面に基づいて説明する。
（第１実施形態）
まず、図１から図４を参照する。本考案の第１実施形態の嵌込式水槽は、流し台面１１と、水槽２０と、固定部材３０と、を含む。流し台面１１は、水槽穴１２を含み、その下方には、水槽穴１２の周縁に沿う嵌め溝１３が環設される。水槽２０は、水槽本体２１を含み、その底部には排水口２１０が設けられ、水槽本体２１の周縁には、第１水平突縁部２２が環設され、第１水平突縁部２２の末端から、半径方向に沿う立設突縁部２３が形成され、且つ第１水平突縁部２２は、流し台面１１の下面に貼り付けられ、水槽穴１２を囲み、立設突縁部２３は、流し台面１１の嵌め溝１３に挿入され、水槽本体２１には、第１水平突縁部２２よりも低い箇所に位置される水溢れ穴２４が設けられ、これにより、水槽本体２１に収容される水の水位が第１水平突縁部２２よりも高い場合には、水が水溢れ穴２４を経由して排出され、もちろん、水溢れ穴２４を設けなくてもよい。固定部材３０は、ネジ３１により流し台面１１の底部に締め付けられ、流し台面１１と共に水槽２０の第１水平突縁部２２を挟む。このように、洗濯しているときに、水が流し台面１１の上方から水槽穴１２の周縁に沿って下方に流して、流し台面１１と水槽２０の第１水平突縁部２２の接触面にある隙間に侵入する場合には、図４における矢印に示すように、水が立設突縁部２３に止められ、立設突縁部２３により水槽２０内にある水が外部に溢れられることができなくなる。
【００１１】
（第２実施形態）
次に、図５及び図６を参照する。本考案の第２実施形態の嵌込式水槽は、水槽２０´に設けられた立設突縁部２３の自由端は水槽２０´の中心に向き、前記自由端には、第２水平突縁部２５が水平に凸設され、これにより、図６における矢印に示すように、水が流し台面１１と水槽２０´の第１水平突縁部２２の接触面にある隙間に侵入する場合には、侵入した水が立設突縁部２３に沿って上がると、水が第２水平突縁部２５に止められ、第２水平突縁部２５により水槽２０´内にある水が外部に溢れられることができなくなる。
【００１２】
（他の実施形態）
本考案の水槽２０は、図３から図６に示すように、金属で作製されたものでもいいし、図７に示すように、セラミックスで作製されたものでもいいし、それ以外の材料で作製されたものでもよい。
【００１３】
本考案は、流し台面１１の水槽２０に設けられた立設突縁部２３と嵌合する嵌め溝１３と、流し台面１１の水槽２０´，２０´´に設けられた立設突縁部２３及び第２水平突縁部２５と嵌合する嵌め溝１３とには、更に、シリコンなどの樹脂充填材１３１を充填してもよく、そうすると、水が外部に溢れられることができなくなる。
【００１４】
本考案の嵌込式水槽は、流し台や洗面台などに利用することができる。
本考案の固定部材３０には、図３及び図４に示すように、圧迫ネジ３２が多数設けられ、水槽２０の第１水平突縁部２２の下面に各圧迫ネジ３２の先端を押付けると、第１水平突縁部２２が流し台面１１の底部に押付けられる。
【００１５】
本考案の嵌込式水槽は、水槽２０，２０´，２０´´の第１水平突縁部２２と流し台面１１の下面の間に、シリコンなどの樹脂充填材２２１を塗布すると、水が外部に溢れられることができなくなる。
【００１６】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００１７】
本考案は、水槽に適用することができる。
【符号の説明】
【００１８】
１１：流し台面、１２：水槽穴、１３：嵌め溝、２０，２０´，２０´´：水槽、２１：水槽本体、２２：第１水平突縁部、２３：立設突縁部、２４：水溢れ穴、２５：第２水平突縁部、３０：固定部材、３１：ネジ、３２：圧迫ネジ、５１：流し台面、５２：水槽、１３１：樹脂充填材、２１０：排水口、２２１：樹脂充填材、５１１：開口、５２１：突縁部、５２２：水槽壁
【図１】
0003154127.tif 000003
【図２】
0003154127.tif 000004
【図３】
0003154127.tif 000005
【図４】
0003154127.tif 000006
【図５】
0003154127.tif 000007
【図６】
0003154127.tif 000008
【図７】
0003154127.tif 000009
【図８】
0003154127.tif 000010
【図９】
0003154127.tif 000011
【図１０】
0003154127.tif 000012